(57)【特許請求の範囲】
【請求項１】
バーナーと、このバーナーの火炎を囲むように設けられた一次燃焼室と、この一次燃焼室を囲み空気の通路を形成する通路板と、前記一次燃焼室の側壁下部に設けた嵌合穴と、この嵌合穴に略垂直に挿入された熱電対と、前記一次燃焼室の側壁下部で、かつ前記嵌合穴の下部に設けられ、さらに形成される補助炎が前記バーナの燃焼量の増減に関わらず、前記熱電対に接触する位置に設けた補助炎形成穴と、前記補助炎形成穴に形成された補助炎を検知した前記熱電対の検知信号から前記バーナーの燃焼状態を判定する燃焼判定器を備えた熱電対の出力安定装置。
【請求項２】
一次燃焼室の補助炎形成穴に対面した前記通路板の下方の位置に突起部を設けた請求項１記載の熱電対の出力安定装置。
【発明の詳細な説明】
【０００１】
【発明の属する技術分野】
本発明は、熱電対の出力安定装置に関する。
【０００２】
【従来の技術】
一般に熱電対の出力は２点の感熱部間の温度差により得られ、内１点の感熱部である熱電対の先端に炎を接触させて出力を確保する。また炎は燃料と空気により形成され、各々の量により炎の大きさが変化する。
【０００３】
従来、燃焼状態を判定するために、バーナーより形成する炎の状態を熱電対で検知して、その出力により判定を行う。しかしながら、バーナーの燃焼量（燃料量と空気量）が最大〜最小まで変化すると炎の大きさに大きな差が生じ、常に炎に接触するようにすることはかなり困難である。したがって全体の炎とは別に補助炎を形成して、その炎を代用して検知し燃焼状態の判定をしていた。
【０００４】
なお、熱電対に接触させる補助炎の形成方法として、図３に示すように、一次燃焼室３の下部にはバーナー１より噴出された燃料があり、そこへ熱電対２の下方、かつ一次燃焼室３の下面に補助炎形成穴８を設けて空気を入れることにより補助炎９を形成させる。そ
の補助炎９が熱電対２に接触して出力を得、燃焼状態の判定を燃焼判定器６で行う。
【０００５】
また異常燃焼時は、燃料の量または補助炎形成穴８より入った空気の量が変化して補助炎９の状態が変化し、熱電対２の出力も変化が生じて燃焼が異常であることを燃焼判定器６で判定する。
【０００６】
【発明が解決しようとする課題】
しかしながら上記従来の構成では、燃焼量が変化するとバーナー１からの全体の炎の大きさが大きく変化するように補助炎９も少なからず変化するため、熱電対２との接触度合が不安定になり、熱電対２の出力を安定的に確保することが困難であった。
【０００７】
つまり、燃焼状態の判定をする上での熱電対２の出力の変化が大きければ、判定領域の設定が困難であり、判定に余裕度が少ないという傾向がある。
【０００８】
例えば温風暖房器においては燃焼量の変化は必要であるため、熱電対２は燃焼量により変化する補助炎９に安定的に接触できる位置に設置する必要があった。
【０００９】
そこで、本発明は燃焼量が変化しても熱電対の出力が安定的に確保できることを目的とする。
【００１０】
【課題を解決するための手段】
上記目的を達成するために本発明の請求項１に記載の発明は、補助炎の大きさが変化しても安定的に熱電対に接触できる位置に補助炎を形成するため、補助炎形成穴を一次燃焼室の側壁下部であって嵌合穴の下部に設けられ、かつ形成される補助炎がバーナの燃焼量の増減に関わらず、熱電対に接触する位置に設けたものである。この構成により補助炎は一次燃焼室の側面から熱電対と平行状に形成され、補助炎の大きさが変化してもほぼ安定的に熱電対に接触している。
【００１１】
また請求項２に記載の発明は、請求項１に記載の発明の空気孔が一次燃焼室の側面で空気が入りにくいことを改善するため、一次燃焼室を囲む通路板に補助炎形成穴より少し下に位置する部分に突起部を設けたものである。この構成により空気の流れが補助炎形成穴の軸方向に対してほぼ垂直でだったのが、通路板の突起部に沿って流れが変化して空気孔の軸方向に対して鈍角になり、補助炎形成穴側へ空気が入りやすくなる。
【００１２】
【発明の実施の形態】
本発明の請求項１に記載の発明は、バーナーと、このバーナーの火炎を囲むように設けられた一次燃焼室と、この一次燃焼室を囲み空気の通路を形成する通路板と、前記一次燃焼室の側壁下部に設けた嵌合穴と、この嵌合穴に略垂直に挿入された熱電対と、前記一次燃焼室の側壁下部で、かつ前記嵌合穴の下部に設けられ、さらに形成される補助炎が前記バーナの燃焼量の増減に関わらず、前記熱電対に接触する位置に設けた補助炎形成穴と、前記補助炎形成穴に形成された補助炎を検知した前記熱電対の検知信号から前記バーナーの燃焼状態を判定する燃焼判定器を備えたものである。そして、その補助炎形成穴からの空気により形成される補助炎は熱電対と平行状に形成されるため、燃焼量が変化して補助炎が変化してもほぼ安定的に熱電対に接触している。よって、熱電対からの出力も安定的に得られる。
【００１３】
請求項２に記載の発明は、請求項１記載の発明に一次燃焼室の外側を流れる空気の通路を形成する通路板に突起部を備えたものであり、その突起部により空気の流れを変化させ、補助炎形成穴に空気を入りやすくし、補助炎の形成に必要な空気を安定的に供給しやすくする。
【００１４】
以下、本発明の実施例を図１及び図２を用いて説明する。
【００１５】
（実施例１）
図１において、温風暖房器はバーナー１から噴霧される燃料と空気の混合燃料により一次燃焼室３内で炎が形成され、一方ファン７により各部の補助炎形成穴より器具外の空気を供給し、矢印で示す方向に空気の流れが生じて再び器具外に温風として放出する。
【００１６】
また熱電対２を一次燃焼室３の中に挿入し、一次燃焼室３に設けられた補助炎形成穴４からの空気で形成される補助炎の状態によって燃焼状態の異常を検知し、その出力により燃焼判定器６で判定を行う。
【００１７】
なお補助炎の形成においては、バーナー１から噴霧される混合燃料が補助炎形成穴４付近にも充満するようにバーナー１の噴出口を側面（空気孔方向）にも設けてあり、補助炎形成穴４からの横方向の空気により補助炎が横方向、つまり熱電対２とほぼ平行状に形成される。これにより燃焼量が変化しても熱電対２には、常に補助炎が接触して安定的な出力が得られる。
【００１８】
（実施例２）
図２において、上記構成による補助炎形成穴４の方向が空気の流れ方向に対して交差方向のため、空気の通気性が各部の形状やファンの容量によっては悪いものがあり、通路板５に突起部を設けることにより空気の流れが変化して通気性が良化する。
【００１９】
なお、以上の説明では、補助炎形成穴４の通気性の良化方法として通路板の突起部を挙げたが、一次燃焼室３側から通路板５方向に補助炎形成穴４を囲う専用の空気路を設けることも実施可能である。
【００２０】
【発明の効果】
以上のように本発明の請求項１によれば、バーナーと、このバーナーの火炎を囲むように設けられた一次燃焼室と、この一次燃焼室を囲み空気の通路を形成する通路板と、前記一次燃焼室の側壁下部に設けた嵌合穴と、この嵌合穴に略垂直に挿入された熱電対と、前記一次燃焼室の側壁下部で、かつ前記嵌合穴の下部に設けられ、さらに形成される補助炎が前記バーナの燃焼量の増減に関わらず、前記熱電対に接触する位置に設けた補助炎形成穴と、前記補助炎形成穴に形成された補助炎を検知した前記熱電対の検知信号から前記バーナーの燃焼状態を判定する燃焼判定器を備えたことにより、燃焼量の変化で補助炎が変化しても、熱電対の出力が安定する。つまり、横方向からの空気の供給により熱電対に対してほぼ平行な補助炎が形成されるため、常に補助炎が熱電対に接触する。これにより燃焼状態を判定する熱電対の出力に対する判定領域が設定しやすい。
【００２１】
また本発明の請求項２によれば、請求項１による一次燃焼室の横方向からの空気の供給が、空気の流れに対し交差していることにより不足する場合があるが、空気の通路を形成する通路板に突起を設けることにより、空気の流れを変化させて空気の供給が増加する。これにより器具の構成上、一次燃焼室の外側を流れる空気の通気性が悪い場合でも効率良く空気の供給ができ、熱電対の出力を得ることができる。
【図面の簡単な説明】
【図１】  本発明の実施例１における熱電対の出力安定装置の構成図
【図２】  本発明の実施例２における熱電対の出力安定装置の構成図
【図３】  従来の熱電対の出力安定装置の構成図
【符号の説明】
１  バーナー
２  熱電対
３  一次燃焼室
４  補助炎形成穴
５  通路板
６  燃焼判定器
７  ファン
【図１】
0003864490.tif 000002
【図２】
0003864490.tif 000003
【図３】
0003864490.tif 000004